(57)【要約】【課題】従来のウレタン素材の帯枕では、通気性が少なく、蒸れてしまうことがあった。また、帯枕の形状及び大きさが異なる2種類の普段用帯結びのための帯枕と礼装用帯結びのための帯枕とを別々に２つ購入する必要があった。求められていることは、軽量で通気性が良く使用時の快適性に優れるとともに、1つの帯枕で普段用帯結び帯枕と礼装用帯結び帯枕の２種類の用途に使用できる帯枕を提供することである。【解決手段】帯枕は、弾性変形可能な線形状の素材をランダムにうねらせ、交差する部分が互いに付着されることによって全体として所定の立体形状を形成する本体（３）と、本体を内包し使用者に巻き付けられる袋体（５）とを備える。【選択図】図１
2020056122.tif 000002
【特許請求の範囲】
【請求項１】
弾性変形可能な線形状の素材をランダムにうねらせ、交差する部分が互いに付着されることによって全体として所定の立体形状を形成する本体と、本体を内包し使用者に巻き付けられる袋体とを備える帯枕。
【請求項２】
前記本体は使用者の背中に面する底面と、前記底面から立設し、互いに対面する第１側面及び第２側面とし、前記第１側面は前記底面からの高さが前記第２側面より高い又は前記第２側面が前記第１側面に向かって傾斜している請求項１に記載の帯枕。
【請求項３】
前記第１側面が延伸する方向と交差する方向に延伸する補強部をさらに備える請求項１又は２に記載の帯枕。
【発明の詳細な説明】
【技術分野】
【０００１】
本発明は、帯枕に関するものである。更に詳しくは、礼装用帯結び、及び
普段着用帯結びの２通りの用途に使用できる帯枕に関するものである。
【背景技術】
【０００２】
従来、帯枕の多くがウレタン素材で形成されている。しかし、これらの帯枕の多くは通気性が少なく、このため蒸れてしまう。また、重さもあり帯を背中に固定するために帯枕を包んだ織布をみぞおちの辺りできつく結ぶ必要があり、このため背中への圧迫が加わり不快である。そこで蒸れを防止するために、帯枕を構成する材料としてヘチマを使用したものや繊維内部にクション層を設けて通気性を良くしたものが提案されている。
【先行技術文献】
【特許文献】
【０００３】
【特許文献１】特開２００２−２２７０１７号公報
【発明の概要】
【発明が解決しようとする課題】
【０００４】
しかしながら、ヘチマ素材は使用しているうちに形が変形しやすく、クション層を設けて通気性を良くしたものも通気性はまだ不十分である。
【０００５】
また、従来の帯枕では、図１０に示すように下側に湾曲した形状をしており、上下が決められており、1通りの使用しかできなかった。例えば、普段用帯結びのための帯枕と礼装用帯結びのための帯枕では、帯枕の高さやサイズが異なっており、普段用帯結びのための帯枕と礼装用帯結びのための帯枕を別々に２つ購入する必要があった。1つの帯枕で普段用帯結び帯枕と礼装用帯結び帯枕の２種類の用途に使用できるものが望まれていた。
【課題を解決するための手段】
【０００６】
本発明に係る帯枕は、弾性変形可能な線形状の素材をランダムにうねらせ、交差する部分が互いに付着されることによって全体として所定の立体形状を形成する本体と、本体を内包し使用者に巻き付けられる袋体とを備える。
【０００７】
また、本発明に係る帯枕は、前記本体は使用者の背中に面する底面と、前記底面から立設し、互いに対面する第１側面及び第２側面とし、前記第１側面は前記底面からの高さが前記第２側面より高い又は前記第２側面が前記第１側面に向かって傾斜していてもよい。
【０００８】
また、本発明に係る帯枕は、前記第１側面が延伸する方向と交差する方向に延伸する補強部をさらに備えていてもよい。
【発明の効果】
【０００９】
本発明の帯枕は、通常使用している時に背中の蒸れ感が少なく、着物への汗ジミ防止および従来品より軽量で圧迫感が少なく肩や背中のこりを軽減することができる。また、普段着用帯結び帯枕と礼装用帯結び帯枕の２通りの用途に用いることができる。
【図面の簡単な説明】
【００１０】
【図１】図1は、実施形態１に係る帯枕を概略的に示す図面である。
【図２】図２は、実施形態１に係る帯枕の本体を保護部材で被覆した状態を示す図である。
【図３】図３は、実施形態１に係る帯枕の本体の斜視図を概略的に示す図面である。
【図４】図４は、実施形態１に係る帯枕の本体を概略的に示す図面である。図４の（ａ）部は、実施形態１に係る帯枕の本体を第１側面１８側から見た図である。図４の（ｂ）部は、実施形態１に係る帯枕の本体を第２側面２０側から見た図である。
【図５】図５は、図４の（ａ）部のＶ−Ｖ線に沿って切り取った帯枕の本体の断面図を示す図面である。
【図６】図６は、実施形態１に係る帯枕の本体を概略的に示す写真である。
【図７】図７は、実施形態２に係る帯枕の本体を概略的に示す写真である。
【図８】図８は、本実施の形態に係る帯枕の使用状態を説明する図面である。
【図９】図９は、本実施の形態に係る帯枕の使用状態を説明する図面である。
【図１０】図１０は、従来の帯枕を概略的に示す図面である。
【発明を実施するための形態】
【００１１】
引き続いて、添付図面を参照しながら、本発明の帯枕に係る実施の形態を説明する。可能な場合には、同一の部分には同一の符号を付する。
【００１２】
[実施形態１]
以下、本発明の実施形態１について図面を用いて説明する。
【００１３】
図1は、本実施の形態に係る帯枕を概略的に示す図面である。帯枕１は、本体３と、袋体５とから構成されている。袋体５は、本体３を収納するための袋状部５ａと、帯枕を使用者の背中に装着して結びつけるための紐部５ｂから構成されている。
【００１４】
図２は、帯枕１の本体３を概略的に示す図面である。本実施形態では、本体３が、保護部材７で被覆されており、本体３が保護部材７により保護されている。保護部材７は、例えば通気性のよい布地（例えば綿等）から形成されている。
【００１５】
図３は、本実施形態に係る帯枕本体の斜視図を概略的に示す図面である。帯枕１の本体３は、使用者の背中に面する底面１６と、底面１６から立設し、互いに対面する第１側面１８及び第２側面２０と、底面１６に対向する上面２２とを有する。また、第１側面１８及び第２側面２０に交差し、互いに対向する第３側面２４及び第４側面２６を有する。なお、図３を参照すると、直交座標系Ｓが示されている。
【００１６】
図４は、本実施形態に係る帯枕本体を概略的に示す図面である。図４の（ａ）部は、第１側面１８側から見た図である。また、図４の（ｂ）部は、本実施形態に係る帯枕の本体を第２側面２０側から見た図である。図４の(ａ)部及び（ｂ）部に示した様に、第１側面１８及び第２側面２０は、底面１６から立設し、第１方向に延伸している。第１側面１８は、第１方向と、第１方向と交差する第２の方向で定義される面である。使用者の背中に面する底面１６は、ほぼ平坦な面を有する。なお、本実施形態において、第1方向は、Ｚ座標に該当し、第２方向は、Ｘ座標に該当している。
【００１７】
第１側面１８は、後述するように、礼装用帯結びのためのお太鼓の高さ及び横幅を所定の大きさに設定可能にするための高さ（第１の高さｈ１）を有し、ほぼ平坦な面を有している。これにより、礼装用帯結びのための大きく美しい帯山を形成することができる。一方、第２側面２０は、ほぼ平坦な面を有する平面部２０ａと、平面部２０ａから上面２２まで延伸し、第１側面に向かって傾斜している傾斜部２０ｂとを有する。普段着用帯結びは、一般的に高さ及び横幅を控えめにするので、本体３の第１側面１８の高さまでは必要としない。この場合は、本体３の第２側面２０の平面部２０ａを使用することができる。第２側面２０の平面部２０ａは、第１側面１８の高さよりも小さい高さ（第２の高さｈ２）を有することができ、よりボリームダウンしながら、普段着用帯結びとして美しい帯山を形成することができる。第２側面２０は、平面部２０ａの領域が小さいか又はほとんど無く、第２側面２０のほとんどの領域が傾斜部２０ｂから構成されるようにしてもよい。このとき、傾斜部２０ｂは、底面１６から第１方向に立設し、第１側面に向かって傾斜するように設けることができる。
【００１８】
また、本体３の第３側面２４及び第４側面２６は、第２方向に交差する面であり、上面２２から底面１６に向かって緩やかに傾斜している。
【００１９】
図５は、本実施形態に係る帯枕の本体の断面図を示す図面である。図５に示すように、本体３の第１側面１８は、底面１６から第１方向に第１の高さｈ１を有し、第２側面の平面部２０ａは、底面１６から第１方向に第２の高さｈ２を有している。第２の高さｈ２は、第１の高さｈ１と異なる。第１の高さは、例えば、４０ｍｍ〜６０ｍｍとすることができる。本実施形態では、第１の高さは約４５ｍｍである。また第２の高さは、例えば２０ｍｍ〜３５ｍｍとすることができる。本実施形態では、第２の高さは約３０ｍｍである。
【００２０】
図２に示したように、保護部材７は、本体３の第１側面１８及び第２側面２０を被覆し、これらの第１側面１８及び第２側面２０を保護している。本実施形態では、保護部材７は、第１側面１８及び第２側面２０を含む本体３の一部の表面を被覆して設けられているが、保護部材７が、本体３の外部に露出した表面全体を被覆して設けられていてもよい。
【００２１】
図３及び図４に示したように、第３側面２４と底面１６とが接する部分、及び／又は第４側面２６と底面１６とが接する部分には、補強部３０が設けられている。補強部３０は、本体３と同じ材料から形成され、本体３と一体に形成されている。また、補強部３０は、本体３と別の材料から形成されていてもよく、また、本体３に接合して設けられてもよい。補強部３０は、第１方向及び第２方向に交差する第３の方向に延伸する。直交座標系Ｓにおいて、第３方向は、Ｙ座標に該当する。
【００２２】
本体３は、弾性変形可能なプラスチック材料から成る。例えば、本体３は、ポリエステル系熱可塑性樹脂からなることができる。本体３は、弾性変形可能な線形状の素材をランダムにうねらせ、交差する部分が互いに付着され網目状の構造を形成することによって、全体として所定の立体形状を形成するように構成されている。また、弾性変形可能な線形状の素材は、底面１６にほぼ平行な面に延伸するシート状に形成された層状構造を有しており、当該層状構造が、第１方向（高さ方向、Ｚ座標）に積層されている。本実施形態において、補強部３０は、シート状の素材を層状にし、端部を圧着することで形成してもよい。
【００２３】
図６は、本実施の形態に係る帯枕の本体３を概略的に示す写真である。図６から分かるように、本体３は、網状に結合された弾性変形可能な線形状の素材から形成されており、弾力性を有すると共に通気性に優れている。
【００２４】
上記で述べたとおり、帯枕１の本体３は、弾性変形可能な線形状の素材が、底面１６から高さ方向（第１方向）に積層されて形成されている。この層状構造を有することにより、本体３は第１方向に容易に弾性変形することができる。このため底面１６が使用者の背中に面するように、帯枕１を使用者の背中に装着し、紐部５ｂを結んだときに、本体３は使用者の背中にフィットするように変形することができる。また、帯枕１を使用者から取り外したときは、元の形状に戻すことができる。
【００２５】
一方、弾性変形可能な線形状の素材が、底面１６から高さ方向（第１方向）に積層された層状構造を有することにより、第１方向に交差する第２方向及び第３方向には、変形し難い構造となっている。特に、第３方向（Ｙ座標の方向）に延伸する補強部３０が、第３側面２４と底面１６とが接する部分、及び／又は第４側面２６と底面１６とが接する部分に設けられているので、第３方向（Ｙ座標の方向）には一層変形し難い構造となっている。これにより、第１方向に変形した場合でも、帯枕１の形状、特に第３方向（Ｙ座標の方向）の幅を一定に保持することができるので、安定して、再現性良く所望の帯結びの形状（帯山の形状）を得ることができる。
【００２６】
本実施形態の帯枕１では、底面１６が使用者の背中に面するように、帯枕１を使用者の背中に装着した場合、礼装用帯結びのための第１の高さｈ１を第１側面１８に提供でき、或いは、普段着用帯結びのための第２の高さｈ２を第２側面２０の平面部２０ａに提供することができる。このため、本実施形態の帯枕１は、礼装用帯結び及び普段着用帯結びのための帯枕として、２通りの使い方ができる。
【００２７】
傾斜する面を有する第２側面の傾斜部２０ｂ、第３側面２４及び第４側面２６は、例えば、金型等を用いて加熱し軟化させて、成形（熱成型加工）することにより形成することができる。このとき線形状の素材の端部が例えば溶融し結合して端末処理される。一方、第１側面及び第２側面の平面部２０ａは、例えば熱成形加工をせずに、カッター等で切断されて形成されており、ほぼ平坦な面に加工されている。ただし、第１側面及び第２側面の平面部２０ａにおいても、平面な形状が得られれば、熱成型による端末処理を行ってもよい。また、本体３の外部に露出している表面全体を端末処理してもよい。本体３の外部に露出している面を端末処理することで、本体３を構成する線形状の素材が本体３の表面でほつれたりすることを防止できる。また、本体３の外周面がカッター等で切断されたままの状態であるとき、線形状の素材の先端が針状に尖った状態である場合がある。この場合、この線形状の素材により、本体３を被覆する袋体に傷がついたり、袋体が破れたりする可能性がある。本体３の外部に露出している表面を端末処理することで、線形状の素材の袋体への影響を低減することができる。
【００２８】
［実施形態２］
次に、本発明の実施形態２に係る帯枕について説明する。図７は、帯枕１の本体４を第１側面側から見た写真を示している。図７に示すように、本体４は、底面１６から高さ方向（第１方向）に層状に積層された線形状の素材の密度が異なるように構成されている。例えば、シート状に形成された線形状の素材の密度が、底面１６と上面２２に近い領域で密度が高く、底面１６と上面２２との間の中間層の密度は小さくなるような構造を有している。当該中間層は、空隙２８が設けられるように構成されてもよい。当該本体４を備えた帯枕では、実施形態１の帯枕と同様の効果が得られるとともに、通気性を一層改善できる。さらに、帯枕の本体の密度を調整することで、第1側面１８の高さ（第１の高さｈ１）、及び第２側面２０の高さ（第2の高さｈ２）を調整することができるので、帯枕の高さの調整について自由度を増すことができる。
【００２９】
次に、帯枕１に使用について説明する。図８は、本実施の形態に係る帯枕１の使用状態の一例を説明する図面である。図８では、帯枕１の本体３の第１側面１８が上側になるように、帯枕１を使用者の背中に装着した場合を示している。例えば、お太鼓結びとして使用する際には、着物を着用後、ウエスト部分に伊達巻を巻く。その上に帯３２をウエストに２回巻き、帯枕１を帯の内側にセットし帯山３４を形成する。その際、礼装用帯結びは格調高く品格を出す為、一般的にお太鼓の高さ及び横幅を大きくすることが重要である。本実施形態では、本体３の第１側面１８（第１の高さｈ１を有する）を使用し、お太鼓の高さ及び横幅を所定の大きさに設定できるので、大きく美しい帯山３４（３４ａ）に形成することが可能である。
【００３０】
図９は、本実施の形態に係る帯枕の使用状態の他の例を説明する図面である。図９では、帯枕１の本体３の第２側面２０が上側になるように、帯枕１を使用者の背中に装着した場合を示している。普段着用帯結びは、一般的に高さ及び横幅を控えめにする。この場合は、第１側面１８より底面１６からの高さが小さい第２側面２０（第２の高さｈ２を有する）を、普段着用帯結びのための帯枕として使用することによりボリームダウンしながら、普段着用帯結びとして美しい帯山３４（３４ｂ）を形成することが可能となる。
【００３１】
帯山３４（３４ａ，３４ｂ）を形成した後、本体３０の底面１６側を背中に密着させ、袋体５の紐５ｂを緩みがないように人体の前で結び固定する。この際、本体３は、第１方向に弾性変形し、また、本体３の底面１６が、背中の形状に合わせて屈曲し変形可能な構造となっているため、従来の袋体のようにきつく前で結ばなくとも、背中にフィットすることができる。この結果、胸骨及びみぞおち、背中への圧迫感が軽減される。
【００３２】
袋体５の紐部５ｂを人体の前で結び固定した後は、帯枕１に帯揚げの中心を掛け、端部を人体の前で結び、お太鼓全体の大きさを決め帯締め３６を前で結び帯の形が完成する。
【００３３】
本実施形態の帯枕１は、通気性が良く、汗をかきづらい利点があるため、着物への汗ジミを軽減でき経済的である。また、帯枕１を用いることにより、容易に迅速に、かつ見栄えのよい帯結びをすることができる。
【００３４】
従来の帯枕では、図１０に示す様な形状を有し、普段用帯結び帯枕と礼装用帯結び帯枕とでは、高さが異なるため、それぞれの帯結び用の帯枕として、別々に購入する必要があった。本実施形態における帯枕１では、第１の高さｈ１（約４５ｍｍ）を有する第１側面１８にて礼装用帯結びの帯枕として、第２の高さｈ２（約３０ｍｍ）を有する第２側面２０にて普段着用帯結びの帯枕として、２通りの使い方ができる。また、帯枕１の本体３の高さ方向（第１方向）の密度が変化するように、シート状に形成された線形状の素材を積層することで、帯枕の高さを調整することができるため、種々の帯結びにも対応可能である。
【００３５】
以上、本発明の好適な実施形態について説明したが、本発明は上記実施形態に限定されるものではない。例えば、補強部３０は、底面１６の周囲に、全周にわたって設けられていてもよい。これにより、第１方向に変形した場合でも、帯枕１の形状、例えば第１方向（Ｘ座標の方向）及び第３方向（Ｙ座標の方向）の幅を一定に保持することができるので、安定して、再現性良く所望の帯結びの形状（帯山の形状）を得ることができる。
【符号の説明】
【００３６】
１      帯枕
３、４  本体
５      袋体
５ａ    袋状部
５ｂ    紐部
７      保護部材
１６    底面
１８    第１側面
２０    第２側面
２０a   第２側面の平面部
２０ｂ  第２側面の傾斜部
２２    上面
２４    第３側面
２６    第４側面
２８    空隙
３０    補強部
３２    帯
３４、３４ａ、３４ｂ    帯山
３６    帯締め
【図１】
2020056122.tif 000003
【図２】
2020056122.tif 000004
【図３】
2020056122.tif 000005
【図４】
2020056122.tif 000006
【図５】
2020056122.tif 000007
【図６】
2020056122.tif 000008
【図７】
2020056122.tif 000009
【図８】
2020056122.tif 000010
【図９】
2020056122.tif 000011
【図１０】
2020056122.tif 000012